(57)【要約】【課題】端末装置に表示される画像が縦長であっても、端末装置の表示内容を画像品質の低下を低減して表示する。【解決手段】表示装置の制御方法は、横長または縦長の画像を表示する表示装置の制御方法であって、前記表示装置が横長の画像を表示する状態であるか縦長の画像を表示する状態であるかを判定することと、前記表示装置が横長の画像を表示する状態であると判定される場合、第１解像度を示す第１解像度情報を端末装置に送信し、前記表示装置が縦長の画像を表示する状態であると判定される場合、前記第１解像度よりも高い解像度の第２解像度を示す第２解像度情報を前記端末装置に送信することと、前記第１解像度情報または前記第２解像度情報に基づく解像度の画像情報を前記端末装置から受信することと、前記画像情報に基づいて前記画像を表示することと、を含む。【選択図】図７
2020112763.tif 000002
【特許請求の範囲】
【請求項１】
横長または縦長の画像を表示する表示装置の制御方法であって、
前記表示装置が横長の画像を表示する状態であるか縦長の画像を表示する状態であるかを判定することと、
前記表示装置が横長の画像を表示する状態であると判定される場合、第１解像度を示す第１解像度情報を端末装置に送信し、前記表示装置が縦長の画像を表示する状態であると判定される場合、前記第１解像度よりも高い解像度の第２解像度を示す第２解像度情報を前記端末装置に送信することと、
前記第１解像度情報または前記第２解像度情報に基づく解像度の画像情報を前記端末装置から受信することと、
前記画像情報に基づいて前記画像を表示することと、を含む、
表示装置の制御方法。
【請求項２】
前記端末装置から無線デバイスを介して前記画像情報を受信する、
請求項１に記載の表示装置の制御方法。
【請求項３】
前記表示装置が縦長の画像を表示する状態であると判定される場合、前記画像情報をトリミング処理および拡大処理する、
請求項１または２に記載の表示装置の制御方法。
【請求項４】
前記表示装置に配置される加速度センサーまたは角速度センサーの検出結果に基づいて、前記表示装置が横長の画像を表示する状態であるか縦長の画像を表示する状態であるかを判定する、
請求項１から３のいずれか１項に記載の表示装置の制御方法。
【請求項５】
前記表示装置の配置に関する設定情報に基づいて、前記表示装置が横長の画像を表示する状態であるか縦長の画像を表示する状態であるかを判定する、
請求項１から４のいずれか１項に記載の表示装置の制御方法。
【請求項６】
前記表示装置が分割表示する際、分割された表示領域の解像度が縦長と判定された場合、前記表示装置が縦長の画像を表示する状態であるとする、
請求項１から５のいずれか１項に記載の表示装置の制御方法。
【請求項７】
前記第１解像度および前記第２解像度は、それぞれ、横のピクセル数が縦のピクセル数よりも多い、
請求項１から６のいずれか１項に記載の表示装置の制御方法。
【請求項８】
画像情報に基づく横長または縦長の画像を表示する表示部と、
第１解像度を示す第１解像度情報、および前記第１解像度よりも高い解像度の第２解像度を示す第２解像度情報のそれぞれを記憶する記憶部と、
前記表示部が横長の画像を表示する状態であるか縦長の画像を表示する状態であるかを判定する判定部と、
前記表示部が横長の画像を表示する状態であると判定される場合、前記第１解像度情報を端末装置に送信し、前記表示部が縦長の画像を表示する状態であると判定される場合、前記第２解像度情報を前記端末装置に送信し、前記第１解像度情報または前記第２解像度情報に基づく解像度の前記画像情報を前記端末装置から受信するインターフェイス回路と、を有する、
表示装置。
【請求項９】
前記インターフェイス回路は、前記端末装置から無線デバイスを介して前記画像情報を受信する、
請求項８に記載の表示装置。
【請求項１０】
前記表示部が縦長の画像を表示する状態であると判定される場合、前記画像情報をトリミング処理および拡大処理する画像処理回路を有する、
請求項８または９に記載の表示装置。
【請求項１１】
加速度センサーまたは角速度センサーを有し、
前記判定部は、前記加速度センサーまたは前記角速度センサーの検出結果に基づいて、前記表示部が横長の画像を表示する状態であるか縦長の画像を表示する状態であるかを判定する、
請求項８から１０のいずれか１項に記載の表示装置。
【請求項１２】
前記判定部は、前記表示装置の配置に関する設定情報に基づいて、前記表示部が横長の画像を表示する状態であるか縦長の画像を表示する状態であるかを判定する、
請求項８から１１のいずれか１項に記載の表示装置。
【請求項１３】
画像情報に基づく横長または縦長の画像を表示する表示部と、
第１解像度を示す第１解像度情報、および前記第１解像度よりも高い解像度の第２解像度を示す第２解像度情報のそれぞれを記憶する記憶部と、
前記表示部が横長の画像を表示する状態であるか縦長の画像を表示する状態であるかを判定する判定部と、
前記表示部が横長の画像を表示する状態であると判定される場合、前記第１解像度情報を端末装置に送信し、前記表示部が縦長の画像を表示する状態であると判定される場合、前記第２解像度情報を前記端末装置に送信し、前記第１解像度情報または前記第２解像度情報に基づく解像度の前記画像情報を前記端末装置から受信するインターフェイス回路と、を有する、
表示システム。
【発明の詳細な説明】
【技術分野】
【０００１】
本発明は、表示装置の制御方法、表示装置および表示システムに関する。
【背景技術】
【０００２】
スマートフォン等の端末装置からの画像情報に基づく画像を表示する表示装置が知られている。例えば、特許文献１に記載のタブレット端末は、スマートフォンの画面に表示される画像の情報を当該スマートフォンから取得して表示する。
【先行技術文献】
【特許文献】
【０００３】
【特許文献１】特開２０１３−１２０４７２号公報
【発明の概要】
【発明が解決しようとする課題】
【０００４】
一般に、プロジェクター等の表示装置は、縦のピクセル数よりも横のピクセル数の多い横長の解像度の画像情報を端末装置に対して要求する。従来では、表示装置に表示される画像が縦長か横長かにかかわらず、当該画像情報の解像度が固定である。このため、従来の表示装置では、設置姿勢の変更等により縦長の画像を表示する場合、端末装置からの画像の一部をトリミングして拡大表示すると、横長の画像を表示する場合に比べて、画像品質が低下するという課題がある。
【課題を解決するための手段】
【０００５】
本発明に係る表示装置の制御方法の一態様は、横長または縦長の画像を表示する表示装置の制御方法であって、前記表示装置が横長の画像を表示する状態であるか縦長の画像を表示する状態であるかを判定することと、前記表示装置が横長の画像を表示する状態であると判定される場合、第１解像度を示す第１解像度情報を端末装置に送信し、前記表示装置が縦長の画像を表示する状態であると判定される場合、前記第１解像度よりも高い解像度の第２解像度を示す第２解像度情報を前記端末装置に送信することと、前記第１解像度情報または前記第２解像度情報に基づく解像度の画像情報を前記端末装置から受信することと、前記画像情報に基づいて前記画像を表示することと、を含む。
【０００６】
本発明に係る表示装置の一態様は、画像情報に基づく横長または縦長の画像を表示する表示部と、第１解像度を示す第１解像度情報、および前記第１解像度よりも高い解像度の第２解像度を示す第２解像度情報のそれぞれを記憶する記憶部と、前記表示部が横長の画像を表示する状態であるか縦長の画像を表示する状態であるかを判定する判定部と、前記表示部が横長の画像を表示する状態であると判定される場合、前記第１解像度情報を端末装置に送信し、前記表示部が縦長の画像を表示する状態であると判定される場合、前記第２解像度情報を前記端末装置に送信し、前記第１解像度情報または前記第２解像度情報に基づく解像度の前記画像情報を前記端末装置から受信するインターフェイス回路と、を有する。
【０００７】
本発明に係る表示システムの一態様は、画像情報に基づく横長または縦長の画像を表示する表示部と、第１解像度を示す第１解像度情報、および前記第１解像度よりも高い解像度の第２解像度を示す第２解像度情報のそれぞれを記憶する記憶部と、前記表示部が横長の画像を表示する状態であるか縦長の画像を表示する状態であるかを判定する判定部と、前記表示部が横長の画像を表示する状態であると判定される場合、前記第１解像度情報を端末装置に送信し、前記表示部が縦長の画像を表示する状態であると判定される場合、前記第２解像度情報を前記端末装置に送信し、前記第１解像度情報または前記第２解像度情報に基づく解像度の前記画像情報を前記端末装置から受信するインターフェイス回路と、を有する。
【図面の簡単な説明】
【０００８】
【図１】第１実施形態に係る表示システムの外観を概略的に示す図である。
【図２】第１実施形態に係る表示システムの構成を示す図である。
【図３】表示装置が端末装置からの第１解像度の画像情報を用いて横長の画像を表示する場合を例示する図である。
【図４】表示装置が端末装置からの第２解像度の画像情報を用いて縦長の画像を表示する場合を例示する図である。
【図５】表示装置が第１解像度の画像情報を用いて縦長の画像を表示する場合における画像品質の低下を説明するための図である。
【図６】第１解像度および第２解像度の一例を示す表である。
【図７】第１実施形態に係る表示システムの動作を示す図である。
【図８】第２実施形態に係る表示システムの構成を示す図である。
【図９】第３実施形態に係る表示システムの構成を示す図である。
【発明を実施するための形態】
【０００９】
以下、添付図面を参照しながら本発明に係る好適な実施形態を説明する。なお、図面において各部の寸法および縮尺は実際と適宜異なり、理解を容易にするために模式的に示す部分もある。また、本発明の範囲は、以下の説明において特に本発明を限定する旨の記載がない限り、これらの形態に限られない。
【００１０】
１．第１実施形態
１−１．表示システムの概要
図１は、第１実施形態に係る表示システム１の外観を概略的に示す図である。表示システム１は、プロジェクションシステムである。図１に示すように、表示システム１は、表示装置１０と端末装置１００と伝送装置２００とを有する。
【００１１】
表示装置１０は、伝送装置２００を介して端末装置１００に通信可能に接続される。表示装置１０は、端末装置１００等からの画像情報に基づく画像ＧをスクリーンＳＣに投影して表示するプロジェクターである。スクリーンＳＣの設置箇所としては、例えば、壁、床またはテーブル等が挙げられる。また、表示装置１０の設置箇所としては、例えば、天井、壁、床、テーブル、専用設置台等が挙げられる。
【００１２】
表示装置１０は、横長または縦長の画像Ｇを表示する。図１では、画像Ｇが横長である場合が例示される。本実施形態では、表示装置１０の設置姿勢に変更により、画像Ｇが横長または縦長に切り替えられる。すなわち、図１に示すように表示装置１０が横置きに設置される場合、ユーザーからみて横長の画像Ｇが表示され、一方、表示装置１０が図１に示す状態から投射方向に沿う軸まわりに９０°回転させて縦置きに配置される場合、ユーザーからみて縦長の画像Ｇが表示される。
【００１３】
ここで、画像Ｇは、表示装置１０の表示可能領域の一部または全部に表示される。また、画像Ｇは、端末装置１００からの画像情報に基づく画像である。当該画像情報は、端末装置１００に表示される画像ＧＣ１またはＧＣ２に関する情報である。図１に示す例では、当該画像情報が画像ＧＣ１に関する情報である場合が例示される。図１に示す端末装置１００は、画像ＧＣ１またはＧＣ２を表示する表示部１０２を有するスマートフォンである。画像ＧＣ１は、図１中実線で示すように、端末装置１００が横向きに配置される場合に表示される横長の画像である。画像ＧＣ２は、図１中二点鎖線で示すように、端末装置１００が縦向きに配置される場合に表示される縦長の画像である。なお、端末装置１００は、図１に示す例に限定されず、例えば、タブレット端末またはノート型のパーソナルコンピューター等であってもよい。
【００１４】
伝送装置２００は、端末装置１００からの画像情報を受けて表示装置１０に伝送する機器である。本実施形態では、伝送装置２００は、端末装置１００に対して無線接続される無線デバイスの一例である。また、伝送装置２００は、表示装置１０に対して有線接続される。伝送装置２００で用いる伝送技術としては、例えば、Miracast技術等が挙げられる。伝送装置２００としては、例えば、ChromeCastまたはFireTV Stick等の既製の機器を用いてもよい。「Miracast」、「ChromeCast」および「FireTV Stick」は、それぞれ、登録商標である。なお、伝送装置２００は、後述の第３実施形態のように、表示装置１０と一体で構成されてもよいし、表示装置１０の一部で構成されてもよい。この場合、伝送装置２００と表示装置１０との間の通信に関する構成を適宜変更してもよい。
【００１５】
表示装置１０は、伝送装置２００を介して画像情報を端末装置１００に要求する。当該画像情報の解像度は、横および縦のピクセル数で表される画面解像度である。横のピクセル数を「横解像度」、縦のピクセル数を「縦解像度」ともいう。ここで、当該画像情報の横解像度は、当該画像情報の縦解像度よりも大きい。端末装置１００は、当該画像情報の要求があると、端末装置１００に表示される画像ＧＣ１または画像ＧＣ２に関する画像情報を指定の解像度で生成して伝送装置２００に送信する。このとき、端末装置１００は、縦長の画像ＧＣ２を表示する場合、画像ＧＣ２の左右にブランク画像を付加して指定の解像度の画像情報を生成する。
【００１６】
表示装置１０が横長の画像Ｇを表示する場合、表示装置１０から端末装置１００に要求される画像情報の解像度は、第１解像度である。また、表示装置１０が縦長の画像Ｇを表示する場合、表示装置１０から端末装置１００に要求される画像情報の解像度は、第１解像度よりも高い第２解像度である。すなわち、第２解像度の示す縦のピクセル数と横のピクセル数の積は、第１解像度の示す縦のピクセル数と横のピクセル数の積よりも大きい。このため、表示装置１０は、縦長の画像Ｇを表示する場合、端末装置１００からの画像の一部をトリミングして拡大表示しても、横長の画像Ｇを表示する場合に比べて画像品質が低下するのを低減することができる。ここで、第１解像度および第２解像度は、それぞれ、横のピクセル数が縦のピクセル数よりも多い。このため、例えば、伝送装置２００が横画面の表示デバイスに対してのみ対応していたとしても、解像度を落とすことなく縦長の画像を表示することができる。
【００１７】
１−２．表示システムの構成
図２は、第１実施形態に係る表示システム１の構成を示す図である。図２に示すように、表示装置１０は、インターフェイス回路２０、画像処理回路３０、投射装置４０、記憶装置５０、操作装置６０、無線装置７０および処理装置８０を有する。これらは、互いに通信可能に接続される。ここで、投射装置４０は、表示部の一例である。
【００１８】
インターフェイス回路２０は、伝送装置２００を介して端末装置１００と通信可能に接続されるインターフェイスである。例えば、インターフェイス回路２０は、ＵＳＢ（Universal Serial Bus）またはＨＤＭＩ（High Definition Multimedia Interface）等のインターフェイスである。「ＵＳＢ」および「ＨＤＭＩ」は、それぞれ、登録商標である。例えば、伝送装置２００がMiracast技術等を用いる既製の機器である場合、インターフェイス回路２０には、伝送装置２００がＨＤＭＩにより有線接続される。また、この場合、伝送装置２００には、例えば、Ｗｉ−Ｆｉ等で端末装置１００が無線接続される。「Ｗｉ−Ｆｉ」は、登録商標である。
【００１９】
インターフェイス回路２０は、伝送装置２００を介して端末装置１００へ各種情報を送信する機能と、伝送装置２００を介して端末装置１００から各種情報を受信する機能と、を有する。具体的には、インターフェイス回路２０は、第１解像度情報Ｄ１または第２解像度情報Ｄ２を含む各種情報を伝送装置２００に送信する。第１解像度情報Ｄ１は、第１解像度に関する情報である。第２解像度情報Ｄ２は、第１解像度よりも高い第２解像度に関する情報である。また、インターフェイス回路２０は、端末装置１００からの画像情報ＤＳ１またはＤＳ２を含む各種情報を受信する。画像情報ＤＳ１は、第１解像度の画像情報である。画像情報ＤＳ２は、第２解像度の画像情報である。
【００２０】
画像処理回路３０は、インターフェイス回路２０からの画像情報ＤＳ１またはＤＳ２に必要な処理を行って投射装置４０に入力する回路である。画像処理回路３０は、例えば、図示しないフレームメモリーを有し、画像情報ＤＳ１またはＤＳ２を当該フレームメモリーに展開して、解像度変換処理、リサイズ処理、歪み補正処理等の各種処理を適宜実行して投射装置４０に入力する。本実施形態の画像処理回路３０は、信号処理部３１とＯＳＤ（On Screen Display）処理部３２と映像補正部３３とを有する。信号処理部３１は、必要に応じて、画像情報ＤＳ１またはＤＳ２のトリミングおよびスケーリングを実行する。ＯＳＤ処理部３２は、必要に応じて、メニュー表示または操作ガイド等のための画像情報を生成して画像情報ＤＳ１またはＤＳ２に合成する。映像補正部３３は、画像Ｇの表示領域の形状に画像情報ＤＳ１またはＤＳ２を合わせるための幾何学補正を実行する。
【００２１】
投射装置４０は、スクリーンＳＣに画像光を投射して横長または縦長の画像Ｇを表示する装置である。投射装置４０は、光源装置４１、光変調装置４２および投射光学装置４３を有する。
【００２２】
光源装置４１は、例えば、ハロゲンランプ、キセノンランプ、超高圧水銀ランプ、ＬＥＤ（Light Emitting Diode）またはレーザー光源等の光源を含んで構成される。光源装置４１は、例えば、赤色、緑色および青色の光をそれぞれ出射するか、または、白色の光を出射する。光源装置４１が白色の光を出射する場合、光源装置４１から出射される光は、図示しないインテグレーター光学系によって輝度分布のばらつきが低減され、その後、図示しない色分離光学系によって赤色、緑色および青色の光に分離されて光変調装置４２に入射する。光変調装置４２は、当該赤色、緑色および青色に対応して設けられる３つの光変調素子を含んで構成される。当該３つの光変調素子は、それぞれ、例えば、透過型の液晶パネル、反射型の液晶パネルまたはＤＭＤ（デジタルミラーデバイス）等を含んで構成される。当該３つの光変調素子は、当該赤色、緑色および青色の光をそれぞれ変調して各色の画像光を生成する。光変調装置４２で生成される各色の画像光は、図示しない色合成光学系によって合成され、フルカラーの画像光となる。投射光学装置４３は、当該フルカラーの画像光をスクリーンＳＣ上に結像させて投射させる投射光学系を含んで構成される。当該投射光学系は、少なくとも１つの投射レンズを含む光学系であり、ズームレンズまたはフォーカスレンズ等を含んでもよい。
【００２３】
記憶装置５０は、処理装置８０が実行する制御プログラムＰ１、および処理装置８０が処理する第１解像度情報Ｄ１、第２解像度情報Ｄ２および配置設定情報Ｄ３等のデータを記憶する記憶装置である。配置設定情報Ｄ３は、表示装置１０の設置姿勢に関する情報である。例えば、配置設定情報Ｄ３には、表示装置１０の配置が横置きか縦向きかを示す情報が含まれる。記憶装置５０は、例えば、ハードディスクドライブまたは半導体メモリーを含んで構成される。なお、記憶装置５０の一部または全部は、表示装置１０の外部の記憶装置あるいはサーバー等に設けてもよい。
【００２４】
操作装置６０は、ユーザーからの操作を受け付ける装置である。例えば、操作装置６０は、図示しない操作パネルおよびリモコン受光部を含んで構成される。当該操作パネルは、表示装置１０の外装筐体に設けられ、ユーザーからの操作に基づく信号を出力する。当該リモコン受光部は、図示しないリモコンからの赤外線信号を受光し、当該赤外線信号をデコードして、当該リモコンの操作に基づく信号を出力する。
【００２５】
無線装置７０は、外部機器と無線接続される通信装置である。例えば、無線装置７０は、ＬＰＷＡ（Low Power Wide Area）、Ｗｉ−Ｆｉを含む無線ＬＡＮ（Local Area Network）、またはＢｌｕｅｔｏｏｔｈ等の通信装置である。「Ｂｌｕｅｔｏｏｔｈ」は、登録商標である。
【００２６】
処理装置８０は、表示装置１０の各部を制御する機能、および各種データを処理する機能を有する処理装置である。処理装置８０は、例えば、ＣＰＵ（Central Processing Unit）等のプロセッサーを含んで構成される。処理装置８０は、記憶装置５０に記憶される制御プログラムＰ１を実行することによって、後述する機能部を含む各種機能を実現する。なお、処理装置８０は、単一のプロセッサーで構成されてもよいし、複数のプロセッサーで構成されてもよい。また、処理装置８０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。また、処理装置８０は、前述の画像処理回路３０と一体でもよい。
【００２７】
処理装置８０は、機能部として判定部８１と指示部８２とを有する。判定部８１は、投射装置４０が表示する画像Ｇが横長か縦長かを判定する。本実施形態では、判定部８１は、記憶装置５０に記憶される配置設定情報Ｄ３に基づいて当該判定を行う。指示部８２は、判定部８１の判定結果に基づいて、端末装置１００に要求する画像情報の解像度を第１解像度または第２解像度に指定する。そして、指示部８２は、第１解像度情報Ｄ１または第２解像度情報Ｄ２をインターフェイス回路２０に送信させる。
【００２８】
一方、端末装置１００は、通信装置１０１、表示部１０２、操作装置１０３、記憶装置１０４、慣性センサー１０５および処理装置１０６を有する。これらは、互いに通信可能に接続される。
【００２９】
通信装置１０１は、前述のインターフェイス回路２０と伝送装置２００を介して通信可能に接続される通信装置である。例えば、通信装置１０１は、Ｗｉ−Ｆｉを含む無線ＬＡＮ（Local Area Network）またはＢｌｕｅｔｏｏｔｈ等の通信装置である。通信装置１０１は、第１解像度情報Ｄ１または第２解像度情報Ｄ２を含む各種情報を受信する。また、通信装置１０１は、画像情報ＤＳ１またはＤＳ２を含む各種情報を送信する。
【００３０】
表示部１０２は、処理装置１０６による制御のもとで各種の画像を表示する。表示部１０２は、例えば、液晶表示パネル、有機ＥＬ（electro-luminescence）表示パネル等の各種の表示パネルを含む表示装置である。
【００３１】
操作装置１０３は、ユーザーからの操作を受け付ける入力機器である。例えば、操作装置１０３は、タッチパッド、タッチパネルまたはマウス等のポインティングデバイスを含んで構成される。ここで、操作装置１０３は、タッチパネルを含んで構成される場合、表示部１０２を兼ねてもよい。
【００３２】
記憶装置１０４は、処理装置１０６が実行するオペレーティングシステムおよびアプリケーションプログラム等のプログラム、および処理装置１０６が処理するデータを記憶する記憶装置である。記憶装置１０４は、例えば、ハードディスクドライブまたは半導体メモリーを含んで構成される。なお、記憶装置１０４は、端末装置１００の外部の記憶装置あるいはサーバー等に設けてもよい。
【００３３】
慣性センサー１０５は、端末装置１００に加わる加速度および角速度のうちの一方または両方を検出するセンサーである。例えば、慣性センサー１０５は、加速度センサーおよび角速度センサーのうちの一方または両方を含んで構成される。
【００３４】
処理装置１０６は、端末装置１００の各部を制御する機能、および各種データを処理する機能を有する処理装置である。処理装置１０６は、例えば、ＣＰＵ（Central Processing Unit）等のプロセッサーを含んで構成される。処理装置１０６は、記憶装置１０４に記憶されるプログラムを実行することによって、各種機能を実現する。なお、処理装置１０６は、単一のプロセッサーで構成されてもよいし、複数のプロセッサーで構成されてもよい。また、処理装置１０６の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。
【００３５】
処理装置１０６は、慣性センサー１０５の検出結果に基づいて、端末装置１００の配置が横向きか縦向きかを判断する。そして、処理装置１０６は、端末装置１００の配置が横向きである場合、横長の画像ＧＣ１を表示部１０２に表示させる。一方、処理装置１０６は、端末装置１００の配置が縦向きである場合、横長の画像ＧＣ２を表示部１０２に表示させる。以上のように、端末装置１００は、画像ＧＣ１またはＧＣ２を表示する。これに対し、表示装置１０は、以下のように画像Ｇを表示する。
【００３６】
図３は、表示装置１０が端末装置１００からの第１解像度の画像情報ＤＳ１を用いて横長の画像Ｇを表示する場合を例示する図である。図３に示すように、表示装置１０は、横長の画像Ｇを表示する場合、第１解像度の画像情報ＤＳ１を端末装置１００から受信し、画像情報ＤＳ１に基づく画像Ｇを表示する。第１解像度は、縦ａピクセル×横ｂピクセルである。図３に示す例では、端末装置１００が横長の画像ＧＣ１を表示する場合が例示される。この場合、第１解像度を表示装置１０の表示可能な最大解像度に設定することで、端末装置１００の表示内容である画像ＧＣ１を画像Ｇとして当該最大解像度またはそれに近い解像度で表示することができる。なお、端末装置１００が縦長の画像ＧＣ２を表示する状態であっても、表示装置１０は、横長の画像Ｇを表示する場合、第１解像度の画像情報ＤＳ１を端末装置１００から受信し、画像情報ＤＳ１に基づく画像Ｇを表示する。この場合、画像情報ＤＳ１には、後述する図５に示すようにブランク画像が付加される。
【００３７】
図４は、表示装置１０が端末装置１００からの第２解像度の画像情報ＤＳ２を用いて縦長の画像Ｇを表示する場合を例示する図である。図４に示すように、表示装置１０は、縦長の画像Ｇを表示する場合、第２解像度の画像情報ＤＳ２を端末装置１００から受信し、画像情報ＤＳ２に基づく画像Ｇを表示する。第２解像度は、縦ｂピクセル×横（ｂ２／ａ）ピクセルである。図４に示す例では、端末装置１００が縦長の画像ＧＣ２を表示する場合が例示される。この場合、画像情報ＤＳ２には、図５中に黒色の領域で示されるように、端末装置１００の表示内容の左右にブランク画像が付加される。表示装置１０では、画像情報ＤＳ２に基づく画像のうち、ブランク画像が除去され、端末装置１００に表示内容である画像ＧＣ２に相当する部分がトリミングされて拡大表示される。ここで、前述のようにａおよびｂを表示装置１０の表示可能な最大解像度に基づいて設定することで、画像ＧＣ２を画像Ｇとして当該最大解像度またはそれに近い解像度で表示することができる。また、図示しないが、端末装置１００が横長の画像ＧＣ２を表示する状態であっても、表示装置１０は、縦長の画像Ｇを表示する場合、第２解像度の画像情報ＤＳ２を端末装置１００から受信し、画像情報ＤＳ２に基づく画像Ｇを表示する。この場合、画像情報ＤＳ２には、ブランク画像が付加されない。なお、この場合、表示装置１０は、第１解像度の画像情報ＤＳ１を端末装置１００から受信し、画像情報ＤＳ１に基づく画像Ｇを表示してもよい。
【００３８】
図５は、表示装置１０が第１解像度の画像情報ＤＳ１を用いて縦長の画像Ｇを表示する場合における画像品質の低下を説明するための図である。図５に示すように、仮に表示装置１０が第１解像度の画像情報ＤＳ１を用いて縦長の画像Ｇを表示する場合を想定する。この場合、表示装置１０が画像情報ＤＳ２に基づく画像のうち端末装置１００に表示内容である画像ＧＣ２に相当する部分をトリミングして拡大表示すると、当該部分の解像度は、縦ａピクセル×横（ａ２／ｂ）ピクセルとなり、画像Ｇが縦長である場合における表示装置１０の表示可能な最大解像度（ｂ×ａ）よりも低くなる。
【００３９】
図６は、第１解像度および第２解像度の一例を示す表である。図６中、「パネル解像度」は、表示装置１０が表示可能な解像度または最大解像度を示す。また、図６中、「通知解像度」は、表示装置１０が伝送装置２００を介して端末装置１００に第２解像度として指定する解像度である。「通知解像度」は、一般的な映像機器が利用可能な解像度のうち、縦ｂピクセル×横（ｂ２／ａ）ピクセルで表される解像度に最も近い解像度である。このように一般的な映像機器が利用可能な解像度を通知解像度として用いることで、端末装置１００および伝送装置２００のそれぞれが既製の機器であっても第２解像度の画像情報ＤＳ２を容易に扱うことができる。なお、表示装置１０が端末装置１００または伝送装置２００に通知する第１解像度または第２解像度は、１つであっても複数であってよく、複数の場合、表示装置１０が表示可能な解像度が選択される。
【００４０】
１−３．表示システムの動作
図７は、第１実施形態に係る表示システム１の動作を示す図である。表示システム１では、図７に示すように、まず、ステップＳ１０１において、表示装置１０の指示部８２が、判定部８１の判定結果に基づいて、第１解像度または第２解像度のいずれかを選択する。そして、ステップＳ１０２において、指示部８２は、第１解像度情報Ｄ１または第２解像度情報Ｄ２を伝送装置２００に送信する。
【００４１】
伝送装置２００は、ステップＳ１０３において、第１解像度情報Ｄ１または第２解像度情報Ｄ２に基づいて、表示装置１０と端末装置１００との間で用いる解像度を第１解像度または第２解像度に設定する。ここで、第１解像度または第２解像度が複数ある場合、伝送装置２００が利用可能な１以上の解像度が第１解像度または第２解像度として選択される。そして、ステップＳ１０４において、伝送装置２００は、第１解像度情報Ｄ１または第２解像度情報Ｄ２を端末装置１００に送信する。
【００４２】
端末装置１００は、ステップＳ１０５において、第１解像度情報Ｄ１または第２解像度情報Ｄ２に基づいて、伝送装置２００を介して表示装置１０に送信する画像情報の解像度を第１解像度または第２解像度に設定する。ここで、第１解像度または第２解像度が複数ある場合、端末装置１００が利用可能な１以上の解像度が第１解像度または第２解像度として選択される。そして、ステップＳ１０６および１０７において、端末装置１００は、伝送装置２００を介して、画像情報ＤＳ１またはＤＳ２を伝送装置２００に送信する。
【００４３】
表示装置１０は、ステップＳ１０８において、必要に応じて、信号処理部３１が画像情報ＤＳ１またはＤＳ２のトリミングおよびスケーリングを実行する。次に、ステップＳ１０９において、必要に応じて、ＯＳＤ処理部３２がメニュー表示または操作ガイド等のための画像情報を生成して画像情報ＤＳ１またはＤＳ２に合成する。次に、ステップＳ１１０において、必要に応じて、映像補正部３３が画像Ｇの表示領域の形状に画像情報ＤＳ１またはＤＳ２を合わせるための幾何学補正を実行する。その後、ステップＳ１１１において、投射装置４０が画像情報ＤＳ１またはＤＳ２に基づく画像Ｇを表示する。
【００４４】
以上の表示システム１または表示装置１０は、前述のように、表示部の一例である投射装置４０と、記憶部の一例である記憶装置５０と、判定部８１と、インターフェイス回路２０と、を有する。ここで、投射装置４０は、画像情報に基づく横長または縦長の画像Ｇを表示する。記憶装置５０は、第１解像度を示す第１解像度情報Ｄ１、および第１解像度よりも高い解像度の第２解像度を示す第２解像度情報Ｄ２のそれぞれを記憶する。判定部８１は、表示装置１０または投射装置４０が横長の画像Ｇを表示する状態であるか縦長の画像Ｇを表示する状態であるかを判定する。表示装置１０または投射装置４０が横長の画像Ｇを表示する状態であると判定される場合、インターフェイス回路２０は、第１解像度情報Ｄ１を端末装置１００に送信する。一方、表示装置１０または投射装置４０が縦長の画像Ｇを表示する状態であると判定される場合、インターフェイス回路２０は、第２解像度情報Ｄ２を端末装置１００に送信する。そして、インターフェイス回路２０は、第１解像度情報Ｄ１または第２解像度情報Ｄ２に基づく解像度の画像情報ＤＳ１またはＤＳ２を端末装置１００から受信する。
【００４５】
ここで、表示装置１０の制御方法は、表示装置１０が横長の画像Ｇを表示する状態であるか縦長の画像Ｇを表示する状態であるかを判定することと、その判定結果に基づいて第１解像度情報Ｄ１またはＤＳ２を端末装置１００に送信することと、画像情報ＤＳ１またはＤＳ２を端末装置１００から受信することと、画像情報ＤＳ１またはＤＳ２に基づいて画像Ｇを表示することと、を含む。
【００４６】
以上の表示装置１０の制御方法、表示装置１０または表示システム１では、表示装置１０が横長の画像Ｇを表示する状態である場合、第１解像度情報Ｄ１を端末装置１００に送信し、第１解像度情報Ｄ１に基づく第１解像度の画像情報ＤＳ１を端末装置１００から受信する。このため、縦解像度よりも横解像度の大きい画像情報を表示装置１０から端末装置１００に対して要求することで、第１解像度で端末装置１００の表示内容を表示装置１０で表示することができる。
【００４７】
一方、表示装置１０が縦長の画像Ｇを表示する状態である場合、第２解像度情報Ｄ２を端末装置１００に送信し、第２解像度情報Ｄ２に基づく第２解像度の画像情報ＤＳ２を端末装置１００から受信する。このため、縦解像度よりも横解像度の大きい画像情報を表示装置１０から端末装置１００に対して要求し、当該画像情報に基づく画像の一部を拡大表示しても、第１解像度との差が低減される解像度で端末装置１００の表示内容を表示装置１０で表示することができる。
【００４８】
本実施形態では、インターフェイス回路２０は、端末装置１００から、無線デバイスの一例である伝送装置２００を介して画像情報ＤＳ１またはＤＳ２を受信する。このため、端末装置１００を表示装置１０に有線接続する場合に比べて、端末装置１００と表示装置１０との接続が容易である。また、伝送装置２００として既製の機器を用いることで、表示装置１０の製造コストを低減できるという利点もある。
【００４９】
また、表示装置１０は、表示装置１０または投射装置４０が縦長の画像Ｇを表示する状態であると判定される場合、画像情報ＤＳ２をトリミング処理および拡大処理する画像処理回路３０を有する。このため、端末装置１００が縦長の画像ＧＣ２を表示する場合でも、端末装置１００の表示内容を表示装置１０の表示領域の全域にわたって表示することができる。
【００５０】
また、判定部８１は、表示装置１０の配置に関する設定情報である配置設定情報Ｄ３に基づいて、表示装置１０または投射装置４０が横長の画像Ｇを表示する状態であるか縦長の画像Ｇを表示する状態であるかを判定する。このため、設定操作が済んでいれば、ユーザーが別途操作を行わなくても、表示される画像Ｇが横長か縦長かを判定することができる。
【００５１】
２．第２実施形態
次に、第２実施形態について説明する。本実施形態は、画像Ｇの横長か縦長かの判定方法が異なる以外は、前述の第１実施形態と同様である。なお、以下の説明では、第２実施形態に関し、前述の第１実施形態との相違点を中心に説明し、同様の事項についてはその説明を省略する。また、第２実施形態に説明に用いる各図では、前述の第１実施形態と同様の構成については、同一符号を付している。
【００５２】
図８は、第２実施形態に係る表示システム１Ａの構成を示す図である。図８に示すように、表示システム１Ａは、前述の第１実施形態の表示装置１０に代えて、表示装置１０Ａを有する以外は、前述の第１実施形態の表示システム１と同様である。表示装置１０Ａは、慣性センサー９０を有する以外は、表示装置１０と同様である。慣性センサー９０は、加速度センサーまたは角速度センサーを含んで構成される。慣性センサー９０は、表示装置１０Ａが横置きか縦置きかに応じて異なる信号を出力する。
【００５３】
以上のように、表示装置１０Ａは、加速度センサーまたは角速度センサーを含んで構成される慣性センサー９０を有する。そして、判定部８１は、慣性センサー９０の検出結果に基づいて、表示装置１０または投射装置４０が横長の画像Ｇを表示する状態であるか縦長の画像Ｇを表示する状態であるかを判定する。このため、表示装置１０Ａでは、前述の第１実施形態と同様の効果のほか、ユーザーが設定操作をしなくても、表示される画像Ｇが横長か縦長かを判定することができるという利点がある。
【００５４】
３．第３実施形態
次に、第３実施形態について説明する。本実施形態は、表示装置と端末装置とが直接接続される以外は、前述の第１実施形態と同様である。なお、以下の説明では、第３実施形態に関し、前述の第１実施形態との相違点を中心に説明し、同様の事項についてはその説明を省略する。また、第２実施形態に説明に用いる各図では、前述の第１実施形態と同様の構成については、同一符号を付している。
【００５５】
図９は、第３実施形態に係る表示システム１Ｂの構成を示す図である。図９に示すように、表示システム１Ｂは、前述の第１実施形態の伝送装置２００を省略し、前述の第１実施形態の表示装置１０に代えて、表示装置１０Ｂを有する以外は、前述の第１実施形態の表示システム１と同様である。表示装置１０Ｂは、前述の第１実施形態のインターフェイス回路２０に代えて、インターフェイス回路２０Ｂを有する以外は、表示装置１０と同様である。
【００５６】
インターフェイス回路２０Ｂは、インターフェイス回路２０の機能に加えて、端末装置１００と通信する機能を有する。すなわち、インターフェイス回路２０Ｂは、前述の第１実施形態のインターフェイス回路２０および伝送装置２００の双方の機能を有する。以上の第３実施形態によっても、第１実施形態と同様の効果を奏する。
【００５７】
４．変形例
以上が、本発明の表示装置の制御方法、表示装置および表示システムについて図示の実施形態に基づく説明であるが、本発明は、これらに限定されない。また、本発明の各部の構成は、前述の実施形態の同様の機能を発揮する任意の構成に置換することができ、また、任意の構成を付加することもできる。また、本発明は、前述の各実施形態の任意の構成同士を組み合わせるようにしてもよい。
【００５８】
前述の実施形態では、表示装置または表示部の設置姿勢に基づいて、表示装置が横長の画像を表示する状態であるか縦長の画像を表示する状態であるかを判定する構成が例示されるが、当該構成に限定されない。例えば、表示装置が分割表示する際、分割された表示領域の解像度が縦長と判定された場合、表示装置が縦長の画像を表示する状態であるとしてもよい。この場合、例えば、横長の表示可能領域内の一部に設定される縦長の領域に画像が表示される。なお、この場合、表示装置が分割表示しない状態である場合、表示装置が横長の画像を表示する状態であると判定すればよい。
【００５９】
前述の実施形態では、表示部が投射装置である場合が例示されるが、表示部は、これに限定されず、例えば、液晶表示パネル、有機ＥＬ（electro- luminescence）パネル等を表示面とする表示装置でもよい。
【符号の説明】
【００６０】
１…表示システム、１Ａ…表示システム、１Ｂ…表示システム、１０…表示装置、１０Ａ…表示装置、１０Ｂ…表示装置、２０…インターフェイス回路、２０Ｂ…インターフェイス回路、３０…画像処理回路、４０…投射装置、５０…記憶装置、８１…判定部、８２…指示部、９０…慣性センサー、１００…端末装置、２００…伝送装置、Ｄ１…第１解像度情報、Ｄ２…第２解像度情報、Ｄ３…配置設定情報、ＤＳ１…画像情報、ＤＳ２…画像情報、Ｇ…画像、ＧＣ１…画像、ＧＣ２…画像。
【図１】
2020112763.tif 000003
【図２】
2020112763.tif 000004
【図３】
2020112763.tif 000005
【図４】
2020112763.tif 000006
【図５】
2020112763.tif 000007
【図６】
2020112763.tif 000008
【図７】
2020112763.tif 000009
【図８】
2020112763.tif 000010
【図９】
2020112763.tif 000011
【手続補正書】
【提出日】令和1年11月18日(2019.11.18)
【手続補正１】
【補正対象書類名】明細書
【補正対象項目名】００３５
【補正方法】変更
【補正の内容】
【００３５】
処理装置１０６は、慣性センサー１０５の検出結果に基づいて、端末装置１００の配置が横向きか縦向きかを判断する。そして、処理装置１０６は、端末装置１００の配置が横向きである場合、横長の画像ＧＣ１を表示部１０２に表示させる。一方、処理装置１０６は、端末装置１００の配置が縦向きである場合、縦長の画像ＧＣ２を表示部１０２に表示させる。以上のように、端末装置１００は、画像ＧＣ１またはＧＣ２を表示する。これに対し、表示装置１０は、以下のように画像Ｇを表示する。
【手続補正２】
【補正対象書類名】明細書
【補正対象項目名】００３７
【補正方法】変更
【補正の内容】
【００３７】
図４は、表示装置１０が端末装置１００からの第２解像度の画像情報ＤＳ２を用いて縦長の画像Ｇを表示する場合を例示する図である。図４に示すように、表示装置１０は、縦長の画像Ｇを表示する場合、第２解像度の画像情報ＤＳ２を端末装置１００から受信し、画像情報ＤＳ２に基づく画像Ｇを表示する。第２解像度は、縦ｂピクセル×横（ｂ２／ａ）ピクセルである。図４に示す例では、端末装置１００が縦長の画像ＧＣ２を表示する場合が例示される。この場合、画像情報ＤＳ２には、図４中に黒色の領域で示されるように、端末装置１００の表示内容の左右にブランク画像が付加される。表示装置１０では、画像情報ＤＳ２に基づく画像のうち、ブランク画像が除去され、端末装置１００に表示内容である画像ＧＣ２に相当する部分がトリミングされて拡大表示される。ここで、前述のようにａおよびｂを表示装置１０の表示可能な最大解像度に基づいて設定することで、画像ＧＣ２を画像Ｇとして当該最大解像度またはそれに近い解像度で表示することができる。また、図示しないが、端末装置１００が横長の画像ＧＣ２を表示する状態であっても、表示装置１０は、縦長の画像Ｇを表示する場合、第２解像度の画像情報ＤＳ２を端末装置１００から受信し、画像情報ＤＳ２に基づく画像Ｇを表示する。この場合、画像情報ＤＳ２には、ブランク画像が付加されない。なお、この場合、表示装置１０は、第１解像度の画像情報ＤＳ１を端末装置１００から受信し、画像情報ＤＳ１に基づく画像Ｇを表示してもよい。
【手続補正３】
【補正対象書類名】明細書
【補正対象項目名】００４２
【補正方法】変更
【補正の内容】
【００４２】
端末装置１００は、ステップＳ１０５において、第１解像度情報Ｄ１または第２解像度情報Ｄ２に基づいて、伝送装置２００を介して表示装置１０に送信する画像情報の解像度を第１解像度または第２解像度に設定する。ここで、第１解像度または第２解像度が複数ある場合、端末装置１００が利用可能な１以上の解像度が第１解像度または第２解像度として選択される。そして、ステップＳ１０６および１０７において、端末装置１００は、伝送装置２００を介して、画像情報ＤＳ１またはＤＳ２を表示装置１０に送信する。
【手続補正４】
【補正対象書類名】明細書
【補正対象項目名】００４５
【補正方法】変更
【補正の内容】
【００４５】
ここで、表示装置１０の制御方法は、表示装置１０が横長の画像Ｇを表示する状態であるか縦長の画像Ｇを表示する状態であるかを判定することと、その判定結果に基づいて第１解像度情報Ｄ１または第２解像度情報Ｄ２を端末装置１００に送信することと、画像情報ＤＳ１またはＤＳ２を端末装置１００から受信することと、画像情報ＤＳ１またはＤＳ２に基づいて画像Ｇを表示することと、を含む。
【手続補正５】
【補正対象書類名】明細書
【補正対象項目名】００５３
【補正方法】変更
【補正の内容】
【００５３】
以上のように、表示装置１０Ａは、加速度センサーまたは角速度センサーを含んで構成される慣性センサー９０を有する。そして、判定部８１は、慣性センサー９０の検出結果に基づいて、表示装置１０Ａまたは投射装置４０が横長の画像Ｇを表示する状態であるか縦長の画像Ｇを表示する状態であるかを判定する。このため、表示装置１０Ａでは、前述の第１実施形態と同様の効果のほか、ユーザーが設定操作をしなくても、表示される画像Ｇが横長か縦長かを判定することができるという利点がある。
【手続補正６】
【補正対象書類名】明細書
【補正対象項目名】００５４
【補正方法】変更
【補正の内容】
【００５４】
３．第３実施形態
次に、第３実施形態について説明する。本実施形態は、表示装置と端末装置とが直接接続される以外は、前述の第１実施形態と同様である。なお、以下の説明では、第３実施形態に関し、前述の第１実施形態との相違点を中心に説明し、同様の事項についてはその説明を省略する。また、第３実施形態に説明に用いる各図では、前述の第１実施形態と同様の構成については、同一符号を付している。